(57)【要約】      （修正有）【課題】構造が単純であり、ラック運搬時の占用スペースが効果的に縮小されて運搬コストが削減されるほか、不使用時の保管も容易となり、丈夫且つ堅固で、使用寿命が保証される解体可能式ラックユニット及び組立式ラックを提供する。【解決手段】第１サイドフレームユニット２、第２サイドフレームユニット３、及び少なくとも１つの載置用メッシュプレート１を含み、第１サイドフレームユニット２と第２サイドフレームユニット３が、第１方形固定フレーム４、第２方形固定フレーム５、及び少なくとも１つの固定接続ロッド６を含み、固定接続ロッド６は、第１方形固定フレーム４と第２方形固定フレーム５の間に装着され、載置用メッシュプレート１の左右両端が接続係合片７を介して解体可能に固定接続ロッド６に装着されることで、第１サイドフレームユニット２と第２サイドフレームユニット３が取り外し可能に載置用メッシュプレート１の左右両端に装着される。【選択図】図１
0003215893.tif 000002
【実用新案登録請求の範囲】
【請求項１】
少なくとも１つの載置用メッシュプレート（１）、第１サイドフレームユニット（２）及び第２サイドフレームユニット（３）を含み、前記第１サイドフレームユニット（２）と第２サイドフレームユニット（３）が、それぞれ解体可能に載置用メッシュプレート（１）の左右両端に装着される解体可能式ラックユニットにおいて、
前記第１サイドフレームユニット（２）と第２サイドフレームユニット（３）は、第１方形固定フレーム（４）、第２方形固定フレーム（５）、及び少なくとも１つの固定接続ロッド（６）を含み、前記固定接続ロッド（６）は、対応する第１方形固定フレーム（４）と第２方形固定フレーム（５）の間にそれぞれ装着され、前記載置用メッシュプレート（１）の左右両端にはそれぞれ接続係合片（７）が設けられ、前記接続係合片（７）には位置決め突起（７１）が下方に延伸するよう設けられ、前記位置決め突起（７１）が対応する固定接続ロッド（６）に解体可能に係入されることで、載置用メッシュプレート（１）が解体可能に固定接続ロッド（６）に装着されて、第１サイドフレームユニット（２）と第２サイドフレームユニット（３）が、解体可能に載置用メッシュプレート（１）の左右両端にそれぞれ装着されることを特徴とする解体可能式ラックユニット。
【請求項２】
前記載置用メッシュプレート（１）の左右両端にはＵ型槽（８）がそれぞれ設けられ、前記接続係合片（７）が対応するＵ型槽（８）に装着され、前記位置決め突起（７１）が対応する固定接続ロッド（６）に係入されることで、載置用メッシュプレート（１）が解体可能に固定接続ロッド（６）に装着されることを特徴とする請求項１記載の解体可能式ラックユニット。
【請求項３】
前記第１方形固定フレーム（４）と第２方形固定フレーム（５）の間に少なくとも１つの固定接続ロッド（６）が設けられ、前記第１サイドフレームユニット（２）と第２サイドフレームユニット（３）の間に少なくとも１つの載置用メッシュプレート（１）が設けられることを特徴とする請求項１記載の解体可能式ラックユニット。
【請求項４】
前記第１サイドフレームユニット（２）と第２サイドフレームユニット（３）の底部には、少なくとも１つの固定突起（９）がそれぞれ設けられ、前記第１方形固定フレーム（４）と第２方形固定フレーム（５）の間には、固定突起（９）を係入するための隙間が設けられることを特徴とする請求項１記載の解体可能式ラックユニット。
【請求項５】
請求項４に記載の解体可能式ラックユニットを用いた組立式ラックにおいて、
２つ又は２つ以上の請求項４に記載の解体可能式ラックユニット（１００）を含み、前記固定突起（９）が対応する第１方形固定フレーム（４）と第２方形固定フレーム（５）との隙間に係入されることで、複数の解体可能式ラックユニット（１００）が解体可能に接続されることを特徴とする組立式ラック。
【請求項６】
前記解体可能式ラックユニット（１００）の第１サイドフレームユニット（２）と第２サイドフレームユニット（３）の先端部には位置規制係合片（１０）がそれぞれ設けられ、前記位置規制係合片（１０）は、第１方形固定フレーム（４）と第２方形固定フレーム（５）との隙間に設けられることを特徴とする請求項５記載の組立式ラック。
【考案の詳細な説明】
【技術分野】
【０００１】
本考案はラックの技術分野に関し、より具体的には、解体可能式ラックユニット及び当該ユニットを用いた組立式ラックに関する。
【背景技術】
【０００２】
ラックは、住居や日常生活における収納・整理に幅広く応用される非常に便利なホームグッズである。
【０００３】
従来のラックのうち大型物品を収容するためのラックは一般的に体積が大きく、解体不可能となっている。そのため、運搬時に大きくスペースをとり、運搬コストが高騰してしまう。また、ラックの使用が不要な場合、解体不可能なことから保管スペースが大きくとられ、保管に不便である。このほか、解体可能なラックも一部市販されてはいるものの、大部分が変形可能材料で製造された組立式ラックである。こうしたラックは運搬や保管時にいくつかの部材に解体可能ではあるものの、解体が容易となるよう、プラスチック等の変形可能材質で製造せざるを得ないことが多い。そのため、劣化や変形が容易に発生してしまう。結果、運搬や保管の問題は解決されるものの、丈夫さや耐久性は兼ね備えておらず、ラックとしての利用価値を大きく損ねている。
【考案の概要】
【考案が解決しようとする課題】
【０００４】
本考案は、従来技術における上記の瑕疵を解消し、構造が単純で丈夫且つ堅固な解体可能式ラックユニットを提供することを一の目的とする。
【課題を解決するための手段】
【０００５】
上記の目的を実現すべく、本考案は、少なくとも１つの載置用メッシュプレート、第１サイドフレームユニット及び第２サイドフレームユニットを含み、前記第１サイドフレームユニットと第２サイドフレームユニットがそれぞれ解体可能に載置用メッシュプレートの左右両端に装着され、前記第１サイドフレームユニットと第２サイドフレームユニットは、第１方形固定フレーム、第２方形固定フレーム、及び少なくとも１つの固定接続ロッドを含み、前記固定接続ロッドは、対応する第１方形固定フレームと第２方形固定フレームの間にそれぞれ装着され、前記載置用メッシュプレートの左右両端にはそれぞれ接続係合片が設けられ、前記接続係合片には位置決め突起が下方に延伸するよう設けられ、前記位置決め突起が対応する固定接続ロッドに解体可能に係入されることで、載置用メッシュプレートが解体可能に固定接続ロッドに装着されて、第１サイドフレームユニットと第２サイドフレームユニットが、解体可能に載置用メッシュプレートの左右両端に装着される解体可能式ラックユニットを提供する。
【０００６】
好ましくは、前記載置用メッシュプレートの左右両端にはＵ型槽がそれぞれ設けられ、前記接続係合片が対応するＵ型槽に装着され、前記位置決め突起が対応する固定接続ロッドに係入されることで、載置用メッシュプレートが解体可能に固定接続ロッドに装着される。
【０００７】
好ましくは、前記第１方形固定フレームと第２方形固定フレームの間に少なくとも１つの固定接続ロッドが設けられ、前記第１サイドフレームユニットと第２サイドフレームユニットの間に少なくとも１つの載置用メッシュプレートが設けられる。
【０００８】
好ましくは、前記第１サイドフレームユニットと第２サイドフレームユニットの底部には、少なくとも１つの固定突起がそれぞれ設けられ、前記第１方形固定フレームと第２方形固定フレームの間には、固定突起を係入するための隙間が設けられる。
【０００９】
本考案は、前記解体可能式ラックユニットを用いた組立式ラックを提供することを他の目的とする。
【００１０】
組立式ラックであって、２つ又は２つ以上の上記技術方案に記載の解体可能式ラックユニットを含み、前記固定突起が対応する第１方形固定フレームと第２方形固定フレームとの隙間に係入されることで、複数の解体可能式ラックユニットが解体可能に接続される。
【００１１】
好ましくは、前記解体可能式ラックユニットの第１サイドフレームユニットと第２サイドフレームユニットの先端部には位置規制係合片がそれぞれ設けられ、前記位置規制係合片は、第１方形固定フレームと第２方形固定フレームとの隙間に設けられる。
【考案の効果】
【００１２】
従来技術と比較して、本考案は以下の有益な効果を有する。
【００１３】
本考案の構造は単純であり、第１サイドフレームユニット、第２サイドフレームユニット、及び少なくとも１つの載置用メッシュプレートを含む。第１サイドフレームユニットと第２サイドフレームユニットは、第１方形固定フレーム、第２方形固定フレーム、及び少なくとも１つの固定接続ロッドを含む。固定接続ロッドは、第１方形固定フレームと第２方形固定フレームの間に装着される。載置用メッシュプレートの左右両端は、接続係合片を介して解体可能に固定接続ロッドに装着される。これにより、第１サイドフレームユニットと第２サイドフレームユニットが取り外し可能に載置用メッシュプレートの左右両端に装着される。載置用メッシュプレートが解体可能に装着されるため、ラック運搬時の占用スペースが効果的に縮小されて運搬コストが削減されるほか、不使用時の保管も容易となる。また、第１方形固定フレームと第２方形固定フレームを設けることで、ラックがより丈夫且つ堅固となり、ラックの使用寿命が保証される。
【００１４】
本考案の実施例又は従来技術の技術方案をより明確に説明すべく、以下に、実施例又は従来技術の記載に要する図面について簡単に説明する。なお、いうまでもなく、以下に記載する図面は本考案の一部実施例にすぎず、当業者であれば、創造的労働を伴うことなくこれら図面から更にその他の図面を取得可能である。
【図面の簡単な説明】
【００１５】
【図１】図１は、本考案の実施例１で提供する解体可能式ラックユニットの全体構造を示す図である。
【図２】図２は、本考案の実施例１で提供する解体可能式ラックユニットの構造を示す分解図である。
【図３】図３は、本考案の実施例１で提供する解体可能式ラックユニットの一部構造を示す拡大図である。
【図４】図４は、本考案の実施例１で提供する解体可能式ラックユニットのその他部分の構造を示す拡大図である。
【図５】図５は、本考案の実施例２で提供する組立式ラックの全体構造を示す図である。
【図６】図６は、本考案の実施例２で提供する組立式ラックの構造を示す分解図である。
【図７】図７は、本考案の実施例２で提供する組立式ラックを部分的に拡大した構造図である。
【考案を実施するための形態】
【００１６】
本考案の実施例の目的、技術方案及び利点をより明確にすべく、以下では本考案の実施例にかかる図面を組み合わせて、本考案の実施例における技術方案につき明瞭簡潔に述べる。なお、ここで記載する実施例は本考案の一部実施例にすぎず、全実施例でないことはいうまでもない。本考案の実施例に基づいて、当業者が創造的労働を要することなく取得するその他すべての実施例は、いずれも本考案の保護の範囲に属する。
【００１７】
図１を参照して、本考案の実施例は、少なくとも１つの載置用メッシュプレート１、第１サイドフレームユニット２及び第２サイドフレームユニット３を含む解体可能式ラックユニットを提供する。載置用メッシュプレート１は、解体可能に第１サイドフレームユニット２と第２サイドフレームユニット３の間に装着される。第１サイドフレームユニット２と第２サイドフレームユニット３は、第１方形固定フレーム４、第２方形固定フレーム５、及び少なくとも１つの固定接続ロッド６を含む。固定接続ロッド６は、第１方形固定フレーム４と第２方形固定フレーム５の間に装着される。載置用メッシュプレート１の左右両端は、接続係合片７を介して解体可能に固定接続ロッド６に装着される。これにより、第１サイドフレームユニット２と第２サイドフレームユニット３が解体可能に載置用メッシュプレート１の左右両端に装着される。次に、図面を組み合わせて本実施例につき詳細に説明する。
【００１８】
実施例１
図１、図２及び図３に示すように、第１サイドフレームユニット２と第２サイドフレームユニット３は、それぞれ解体可能に載置用メッシュプレート１の左右両端に装着される。第１サイドフレームユニット２と第２サイドフレームユニット３は、第１方形固定フレーム４、第２方形固定フレーム５、及び少なくとも１つの固定接続ロッド６を含む。固定接続ロッド６は、対応する第１方形固定フレーム４と第２方形固定フレーム５の間にそれぞれ装着される。載置用メッシュプレート１の左右両端にはそれぞれ接続係合片７が設けられ、接続係合片７には、位置決め突起７１が下方に延伸するよう設けられる。位置決め突起７１が対応する固定接続ロッド６に解体可能に係入されることで、載置用メッシュプレート１が解体可能に固定接続ロッド６に装着される。これにより、第１サイドフレームユニット２と第２サイドフレームユニット３が、解体可能に載置用メッシュプレート１の左右両端に装着される。載置用メッシュプレート１が解体可能に装着されるため、ラック運搬時の占用スペースが効果的に縮小されて運搬コストが削減されるほか、不使用時の保管も容易となる。
【００１９】
本実施例では、載置用メッシュプレート１の左右両端にＵ型槽８がそれぞれ設けられ、接続係合片７が対応するＵ型槽８に装着される。そして、位置決め突起７１が対応する固定接続ロッド６に係入されることで、載置用メッシュプレート１が解体可能に固定接続ロッド６に装着される。これにより、接続係合片７の装着及び固定が容易となるほか、装着時に載置用メッシュプレート１の衝突による損傷が回避される。
【００２０】
好ましくは、第１方形固定フレーム４と第２方形固定フレーム５の間に少なくとも１つの固定接続ロッド６が設けられ、第１サイドフレームユニット２と第２サイドフレームユニット３の間に少なくとも１つの載置用メッシュプレート１が設けられる。固定接続ロッド６と載置用メッシュプレート１の数は実際の状況に応じて選択すればよく、本実施例に限定されない。
【００２１】
図４に示すように、第１サイドフレームユニット２と第２サイドフレームユニット３の底部には、少なくとも１つの固定突起９がそれぞれ設けられる。第１方形固定フレーム４と第２方形固定フレーム５の間には、固定突起９を係入するための隙間が設けられる。固定突起９を設けることで、ラックの載置がより安定するほか、第１サイドフレームユニット２と第２サイドフレームユニット３が地面に直接接触することがなくなるため、効果的にラックの使用寿命を延長可能となる。
【００２２】
実施例２
図５、図６及び図７は、２つ又は２つ以上の解体可能式ラックユニット１００を含む組立式ラックを示す。固定突起９が対応する第１方形固定フレーム４と第２方形固定フレーム５との隙間に係入されることで、複数の解体可能式ラックユニット１００が解体可能に接続される。これにより、ラックの組立使用が実現され、様々な場面でのニーズにラックを適用可能となる。
【００２３】
図３に示すように、第１サイドフレームユニット２と第２サイドフレームユニット３の先端部には、位置規制係合片１０がそれぞれ設けられる。位置規制係合片１０は、第１方形固定フレーム４と第２方形固定フレーム５との隙間に設けられる。位置規制係合片１０を設けることで、固定突起９が、隙間への係入後に前後に移動して使用に影響することが回避される。
【００２４】
装着時には、載置用メッシュプレート１の左右両端における接続係合片７の位置決め突起７１を対応する固定接続ロッド６に係入することで、第１サイドフレームユニット２と第２サイドフレームユニット３を解体可能に載置用メッシュプレート１の左右両端に装着する。そして、実際のニーズに応じて、第１サイドフレームユニット２と第２サイドフレームユニット３の間に１又は１以上の載置用メッシュプレート１を設けることで、ラック全体を形成する。
【００２５】
また、任意の解体可能式ラックユニット１００底部の固定突起９を他の解体可能式ラックユニット１００の第１サイドフレームユニット２と第２サイドフレームユニット３の先端部に係入することで、２つの解体可能式ラックユニット１００が解体可能に組み立てられ、接続される。
【００２６】
上述したように、本考案の構造は単純であり、第１サイドフレームユニット２、第２サイドフレームユニット３、及び少なくとも１つの載置用メッシュプレート１を含む。第１サイドフレームユニット２と第２サイドフレームユニット３は、第１方形固定フレーム４、第２方形固定フレーム５、及び少なくとも１つの固定接続ロッド６を含む。固定接続ロッド６は、第１方形固定フレーム４と第２方形固定フレーム５の間に装着される。載置用メッシュプレート１の左右両端は、接続係合片７を介して解体可能に固定接続ロッド６に装着される。これにより、第１サイドフレームユニット２と第２サイドフレームユニット３が解体可能に載置用メッシュプレート１の左右両端に装着される。載置用メッシュプレート１が解体可能に装着されるため、ラック運搬時の占用スペースが効果的に縮小されて運搬コストが削減されるほか、不使用時の保管も容易となる。また、第１方形固定フレーム４と第２方形固定フレーム５を設けることで、ラックがより丈夫且つ堅固となり、ラックの使用寿命が保証される。
【００２７】
なお、上記の実施例は本考案の好ましい実施形態であるが、本考案の実施形態は上記実施例に制限されない。本考案の主旨、実態及び原理を逸脱することなく実施されるその他あらゆる変形、補足、置き換え、組み合わせ、簡略化はいずれも等価の代替方式とみなされ、本考案の保護の範囲に包含される。
【図１】
0003215893.tif 000003
【図２】
0003215893.tif 000004
【図３】
0003215893.tif 000005
【図４】
0003215893.tif 000006
【図５】
0003215893.tif 000007
【図６】
0003215893.tif 000008
【図７】
0003215893.tif 000009